(57)【特許請求の範囲】
【請求項１】
端子板にネジ孔が形成され、前記ネジ孔に接続ネジが螺合されて前記端子板と接続ネジとで端子を挟持する端子台であり、
外力が加わらない状態では前記ネジ孔の少なくとも一部を覆い、前記端子を押し込むと移動または変形する障害体を備え、
前記端子を所定の位置まで押し込み可能なように、前記障害体が配設されている、
ことを特徴とする端子台。
【請求項２】
前記障害体は、前記端子板にスライド自在に配設され、前記端子を押し込むとスライドして移動する、
ことを特徴とする請求項１に記載の端子台。
【請求項３】
前記障害体は、板バネから構成され、前記端子を押し込むと変形する、
ことを特徴とする請求項１に記載の端子台。
【発明の詳細な説明】
【技術分野】
【０００１】
この発明は、電線や通信線などに取り付けられた端子を、ネジを介して接続する端子台に関する。
【背景技術】
【０００２】
電線などに取り付けられた圧着端子を端子台に接続する場合、端子台の端子板にネジ孔が形成され、端子には、接続ネジを挿入するための丸孔やスリットなどの挿入孔が形成されている。そして、端子の挿入孔を端子板のネジ孔に合わせた状態で、接続ネジをネジ孔に締め付けることで、端子板と接続ネジとで端子を挟持するものである。また、接続ネジの脱落・離脱を防止するために、ネジ孔の軸方向に対して接続ネジが移動自在に保持されている端子台が知られている（例えば、特許文献１参照。）。
【先行技術文献】
【特許文献】
【０００３】
【特許文献１】特開２００９−１４０６６５号公報
【発明の概要】
【発明が解決しようとする課題】
【０００４】
ところで、上記のような端子台では、端子の挿入孔が端子板のネジ孔に合っていない状態でも、接続ネジをネジ孔に締め付けることができる。このため例えば、図８に示すように、端子１００の挿入孔１００ａに接続ネジ１０１を挿入しないで、端子１００の先端のみを挟んだ状態で、接続ネジ１０１を端子板１０２のネジ孔１０２ａに締め付けてしまう場合があり得る。特に、多数の端子板１０２、ネジ孔１０２ａが密接して配設され、多くの端子１００を接続する場合には、このような不適正な接続が生じるおそれがある。そして、端子１００の接続が不適正であると、電線１０３などに外力が加わった場合に、端子１００が端子板１０２から外れたり、接触不良が生じたりするおそれがある。また、上記特許文献１の端子台は、接続ネジの脱落を防止することはできるが、端子の不適正な接続を防止することはできない。
【０００５】
そこでこの発明は、端子の不適正な接続を防止することが可能な端子台を提供することを目的とする。
【課題を解決するための手段】
【０００６】
上記課題を解決するために、請求項１に記載の発明は、端子板にネジ孔が形成され、前記ネジ孔に接続ネジが螺合されて前記端子板と接続ネジとで端子を挟持する端子台であり、外力が加わらない状態では前記ネジ孔の少なくとも一部を覆い、前記端子を押し込むと移動または変形する障害体を備え、前記端子を所定の位置まで押し込み可能なように、前記障害体が配設されている、ことを特徴とする。
【０００７】
この発明によれば、端子を押し込まない状態では、障害体によってネジ孔が覆われているため、ネジ孔に接続ネジを螺合することができない。また、端子を押し込むことで、障害体が移動または変形し、端子を所定の位置まで押し込んだ状態でネジ孔に接続ネジを螺合することで、端子が端子板と接続ネジとで挟持される。
【０００８】
請求項２に記載の発明は、請求項１に記載の端子台において、前記障害体は、前記端子板にスライド自在に配設され、前記端子を押し込むとスライドして移動する、ことを特徴とする。
【０００９】
請求項３に記載の発明は、請求項１に記載の端子台において、前記障害体は、板バネから構成され、前記端子を押し込むと変形する、ことを特徴とする。
【発明の効果】
【００１０】
請求項１に記載の発明によれば、端子を押し込まない状態では、障害体によってネジ孔が覆われているため、例えば、端子が障害体つまりネジ孔に達していない状態で、接続ネジをネジ孔に螺合させる（端子の先端のみを挟んで接続する）、という不適正な接続が生じることがない。また、端子を押し込んで、障害体を移動または変形させても、端子の挿入孔とネジ孔とが一致しない状態では、端子の挿入孔の周縁が障害・邪魔になって接続ネジをネジ孔に螺合させることができない。つまり、端子を所定の位置まで押し込んで、端子の挿入孔とネジ孔とを一致させなければ、接続ネジをネジ孔に螺合させることができない。このようにして、端子の不適正な接続を防止することが可能となる。
【００１１】
請求項２に記載の発明によれば、障害体がスライド自在となっているため、端子の押し込みが円滑となり、端子の接続作業を容易に行うことが可能となる。
【００１２】
請求項３に記載の発明によれば、障害体が板バネから構成されているため、構成が簡易で、容易かつ低コストで製作することが可能となる。
【図面の簡単な説明】
【００１３】
【図１】この発明の実施の形態１に係る端子台を示す斜視図である。
【図２】図１の端子台に端子を押し込む前の状態を示す平面図（ａ）と正面図（ｂ）である。
【図３】図１の端子台に端子を押し込んだ状態を示す平面図（ａ）と正面図（ｂ）である。
【図４】図１の端子台のスライド部材を示す平面図（ａ）と正面図（ｂ）である。
【図５】図１の端子台のガイド部材を示す平面図（ａ）とそのＡ−Ａ断面図（ｂ）である。
【図６】この発明の実施の形態２に係る端子台に端子を押し込む前の状態を示す平面図（ａ）と、端子を押し込んだ状態を示す平面図（ｂ）である。
【図７】この発明の実施の形態３に係る端子台に端子を押し込む前の状態を示す平面図（ａ）と、端子を押し込んだ状態を示す平面図（ｂ）である。
【図８】従来の端子台に端子の先端部のみを装着した状態を示す断面図である。
【発明を実施するための形態】
【００１４】
以下、この発明を図示の実施の形態に基づいて説明する。
【００１５】
（実施の形態１）
図１は、この実施の形態に係る端子台１を示す斜視図である。この端子台１は、電線や通信線などに取り付けられた端子を、ネジを介して接続する接続台であり、この実施の形態では、制御ケーブル２００の先端に圧着端子（端子）２０１が取り付けられ、この圧着端子２０１に円形の挿入孔２０１ａが形成されている場合について説明する。
【００１６】
端子台１は、主として、端子板２と、スライド部材（障害体）３と、ガイド部材４とを備えている。
【００１７】
端子板２は、平板状で導電材から構成され、略中央部にネジ孔（雌ネジ）２ａが形成されている。そして、後述するようにして、ネジ孔２ａに圧着端子２０１の挿入孔２０１ａを一致させて、ネジ孔２ａに接続ネジ２０２（雄ネジ、図３）を螺合させることで、端子板２と接続ネジ２０２の頭部とで圧着端子２０１が挟持される。
【００１８】
また、端子板２には、図１〜３に示すように、ネジ孔２ａと連通する長孔状のスライド孔２ｂが形成されている。このスライド孔２ｂは、圧着端子２０１の押し込み・差し込み方向（図２中矢印Ｘ方向）に延びる略長方形で、その幅（矢印Ｘと垂直な方向の長さ）は、後述するスライド部材３の垂直部３ａの幅Ｈ１よりもやや大きく設定されている。また、スライド孔２ｂの長さは、後述するようにしてスライド部材３がスライドし、圧着端子２０１の挿入孔２０１ａがネジ孔２ａに一致するように、設定されている。
【００１９】
スライド部材３は、端子板２の板面に沿ってスライド自在に端子板２に配設された部材であり、図４に示すように、垂直部３ａと基部３ｂとツバ部３ｃとを備えている。垂直部３ａは、図中垂直上方に延びる角棒状で、端子板２のスライド孔２ｂに、スライド自在に挿入・装着される。また、基部３ｂは、垂直部３ａの下部に突出するように形成された直方体で、ツバ部３ｃは、基部３ｂの両側面の反垂直部３ａ側に、両側面から突出するように形成されている。そして、基部３ｂが、後述するガイド部材４のガイド溝４ｂに挿入・装着され、ツバ部３ｃが、後述するガイド部材４の収容部４ａ側に位置するようになっている。
【００２０】
ガイド部材４は、図５に示すように、略直方体で、上面から中央部にかけて四角形にくり抜いた収容部４ａが形成され、この収容部４ａから一方の端部に向かって切り抜かれたガイド溝４ｂが形成されている。収容部４ａの深さは、スライド部材３の基部３ｂの高さよりもやや大きく設定され、収容部４ａの長さ（図５中横方向の長さ）は、後述するようにしてスライド部材３がスライド可能で、かつ圧縮バネ５が収縮できるように設定されている。
【００２１】
また、ガイド溝４ｂの幅Ｈ３は、スライド部材３の基部３ｂの幅Ｈ２よりもやや大きく設定され、収容部４ａとガイド溝４ｂとによる段差である肩部４ｃに、スライド部材３のツバ部３ｃが当接するようになっている。そして、スライド部材３の垂直部３ａが端子板２のスライド孔２ｂに装着され、基部３ｂがガイド部材４のガイド溝４ｂに装着され、ツバ部３ｃが収容部４ａ側に位置する状態で、スライド部材３のツバ部３ｃ側の端面と収容部４ａとの間に圧縮バネ５が収容されて、ガイド部材４が端子板２の下面に取り付けられている。
【００２２】
このような組み付け状態において、図２、３に示すように、端子板２の上面からの垂直部３ａの突出量が、圧着端子２０１の厚みよりも小さくなるように、垂直部３ａの長さが設定され、これにより、接続ネジ２０２などが垂直部３ａに当たらないようになっている。また、圧縮バネ５によってスライド部材３が常にネジ孔２ａ側に押圧され、外力が加わらない状態では、図２に示すように、垂直部３ａがネジ孔２ａの約半分を覆うようになっている。一方、図２中矢印Ｘ方向に圧着端子２０１を押し込むと、圧縮バネ５の力に抗してスライド部材３がＸ方向にスライドして移動・後退し、これに伴って、垂直部３ａがスライド孔２ｂに沿ってスライドする。
【００２３】
このため、圧縮バネ５の力・バネ定数は、人手で圧着端子２０１を押し込むだけでスライド部材３が円滑にスライドするように、設定されている。また、圧着端子２０１を押し込み続けると、圧着端子２０１を所定の位置まで、つまり図３に示すように、圧着端子２０１の挿入孔２０１ａがネジ孔２ａに一致するまで、スライド部材３がスライドするように、圧縮バネ５の自然長、ガイド部材４の収容部４ａの長さなどが設定されている。そして、このようにしてスライド部材３がスライド・後退した状態では、ネジ孔２ａが完全に開放され、挿入孔２０１ａに接続ネジ２０２を挿入してネジ孔２ａに螺合可能となる。
【００２４】
このような端子板２やスライド部材３、ガイド部材４などが、多数並列に配設され、端子台１が構成されている。また、隣接する端子板２間には、側壁（図６、７参考）が設けられ、この実施の形態では上記のように、図２中矢印Ｘ方向からのみ圧着端子２０１を押し込め、Ｘ方向およびその反対方向にスライド部材３がスライド・往復動するようになっている。
【００２５】
次に、このような構成の端子台１への圧着端子２０１の接続方法などについて説明する。
【００２６】
まず、圧着端子２０１をネジ孔２ａ側に押し込まない状態では、図２に示すように、スライド部材３の垂直部３ａがネジ孔２ａを覆っているため、ネジ孔２ａに接続ネジ２０２を螺合させることができない。次に、端子板２の上面に沿って圧着端子２０１をネジ孔２ａ側に押し込むと、スライド部材３がガイド部材４側にスライド、後退し、垂直部３ａがネジ孔２ａを覆わない状態となる。しかし、この時点では、圧着端子２０１の挿入孔２０１ａの周縁（先端部）が障害・邪魔になって、接続ネジ２０２をネジ孔２ａに螺合させることができない。
【００２７】
続いて、さらに圧着端子２０１をネジ孔２ａ側に押し込むと、図３に示すように、圧着端子２０１の挿入孔２０１ａがネジ孔２ａに一致し、この時点で、接続ネジ２０２を挿入孔２０１ａに挿入してネジ孔２ａに螺合する。そして、接続ネジ２０２を締め付けることで、接続ネジ２０２の頭部と端子板２とによって、圧着端子２０１が強固に挟持される。
【００２８】
一方、圧着端子２０１を取り外す場合には、接続ネジ２０２を外して圧着端子２０１を端子板２から取り離す。これにより、スライド部材３が圧縮バネ５によってネジ孔２ａ側にスライド、前進し、再びスライド部材３の垂直部３ａがネジ孔２ａを覆う状態となるものである。
【００２９】
以上のように、この端子台１によれば、圧着端子２０１を押し込まない状態では、垂直部３ａでネジ孔２ａが覆われているため、圧着端子２０１を押し込まずに先端のみを挟んだ状態で接続しようとしても、接続ネジ２０２をネジ孔２ａに螺合させることができない。また、圧着端子２０１を押し込んでスライド部材３を後退させても、圧着端子２０１を所定の位置まで押し込んで、圧着端子２０１の挿入孔２０１ａとネジ孔２ａとを一致させなければ、接続ネジ２０２をネジ孔２ａに螺合させることができない。このように、挿入孔２０１ａとネジ孔２ａとが一致した状態でなければ、接続ネジ２０２を螺合できないため、圧着端子２０１の不適正な接続が防止され、圧着端子２０１を確実、強固に接続することが可能となる。
【００３０】
しかも、スライド部材３がスライドして移動するため、圧着端子２０１の押し込みが円滑となり、圧着端子２０１の接続作業を容易に行うことが可能となる。特に、多くの圧着端子２０１を接続する場合には、作業労力、時間を著しく軽減することが可能となる。
【００３１】
（実施の形態２）
図６は、この実施の形態に係る端子台１０を示す平面図であり、この実施の形態では、障害体が板バネから構成されている点で実施の形態１と構成が異なり、実施の形態１と同等の構成については、同一符号を付することでその説明を省略する。下記の実施の形態３も同様とする。
【００３２】
符号１２は、隣接する端子板２間に設けられた側壁であり、この側壁１２は、圧着端子２０１の押し込み方向Ｘと平行に設けられている。さらに、側壁１２のネジ孔２ａ側（図中右側）には、側壁１２に対して垂直な前壁１３が設けられ、この前壁１３に板バネ（障害体）１１が配設されている。
【００３３】
この板バネ１１は、薄いばね鋼板で構成され、変形自在な帯状で、両端部が側壁１２と前壁１３との角部に固定され、外力が加わらない状態では、ネジ孔２ａ側に曲がったアーチ型・弓なりとなり、図６（ａ）に示すように、ネジ孔２ａの一部を覆うように形成されている。また、圧着端子２０１をネジ孔２ａ側に押し込むと、図６（ｂ）に示すように、板バネ１１が椀型に変形し、圧着端子２０１の挿入孔２０１ａをネジ孔２ａに一致させることができるようになっている。さらに、圧着端子２０１を取り外すと、板バネ１１が復元し、再びネジ孔２ａの一部を覆うものである。
【００３４】
この実施の形態によれば、実施の形態１と同様に、圧着端子２０１の挿入孔２０１ａがネジ孔２ａに一致するまで、圧着端子２０１を押し込まなければ、接続ネジ２０２をネジ孔２ａに螺合させることができない。このため、圧着端子２０１の不適正な接続が防止され、圧着端子２０１を確実、強固に接続することが可能となる。しかも、障害体が板バネ１１から構成されているため、構成が簡易で、容易かつ低コストで端子台１０を製作することが可能となる。さらに、従来の既製の端子台に板バネ１１を取り付けるだけで、容易に端子台１０を構成することができる。
【００３５】
（実施の形態３）
図７は、この実施の形態に係る端子台２０を示す平面図であり、この実施の形態では、２つの板バネ２１、２２を備える点で実施の形態２と構成が異なる。
【００３６】
すなわち、板バネ２１、２２は、薄いばね鋼板で構成され、変形自在な帯状で、第１の板バネ２１は、一方の側壁１２に配設され、第２の板バネ２２は、他方の側壁１２に配設されている。そして、外力が加わらない状態では、図７（ａ）に示すように、第１の板バネ２１および第２の板バネ２２の自由端部が、ネジ孔２ａの中央部まで真っ直ぐに延び、ネジ孔２ａの一部を覆うように形成、配設されている。また、圧着端子２０１をネジ孔２ａ側に押し込むと、図７（ｂ）に示すように、両板バネ２１、２２板が反るように変形し、圧着端子２０１の挿入孔２０１ａをネジ孔２ａに一致させることができるようになっている。さらに、圧着端子２０１を取り外すと、板バネ２１、２２が復元し、再びネジ孔２ａの一部を覆うものである。
【００３７】
この実施の形態によれば、実施の形態２と同様に、圧着端子２０１の不適正な接続を防止して、圧着端子２０１を確実、強固に接続することが可能になるとともに、障害体が板バネ２１、２２から構成されているため、構成が簡易となる。しかも、２つの板バネ２１、２２がネジ孔２ａの中央部で分離し、かつそれぞれが別個に変形自在であるため、圧着端子２０１の押し込みが容易となり、圧着端子２０１の接続作業を容易に行うことが可能となる。
【００３８】
以上、この発明の実施の形態について説明したが、具体的な構成は、上記の実施の形態に限られるものではなく、この発明の要旨を逸脱しない範囲の設計の変更等があっても、この発明に含まれる。例えば、実施の形態１では、ネジ孔２ａの深さ方向に対してもスライド部材３が存在し、ネジ孔２ａの一部が切り欠かれた状態となっているが、端子板２の上面に板状のスライド部材を配設して、外力が加わらない状態で、スライド部材でネジ孔２ａの全上面またはその一部を覆うようにしてもよい。また、圧着端子２０１の挿入孔２０１ａが円形の場合について説明したが、挿入孔がスリットの場合であっても、適用可能であることは勿論である。
【符号の説明】
【００３９】
１、１０、２０    端子台
２        端子板
２ａ      ネジ孔
２ｂ      スライド孔
３        スライド部材（障害体）
４        ガイド部材
５        圧縮バネ
１１、２１、２２  板バネ（障害体）
２０１    圧着端子（端子）
２０１ａ  挿入孔
２０２    接続ネジ
【図１】
0005236025.tif 000002
【図２】
0005236025.tif 000003
【図３】
0005236025.tif 000004
【図４】
0005236025.tif 000005
【図５】
0005236025.tif 000006
【図６】
0005236025.tif 000007
【図７】
0005236025.tif 000008
【図８】
0005236025.tif 000009